(57)【要約】【課題】  従来の蓋構造では、クリック機構の追加のために部品点数が増加したり、多くのスペースが必要であるという問題があった。【解決手段】  本発明の端子カバーは、電子機器本体の凹部を覆う蓋部と、該本体に対して略垂直に設けられ、前記蓋部を開閉動作可能な回転軸となる接続部を有し、前記蓋部の開時に本体の凹部の側面と当接する凸部を設けたことを特徴としている。【選択図】  図２
2007200604.tif 000002
【特許請求の範囲】
【請求項１】
電子機器本体の凹部を覆う蓋部と、該本体に対して略垂直に設けられ、前記蓋部を開閉動作可能な回転軸となる接続部を有する端子カバーであって、
蓋部の開時に前記本体の凹部の側面と当接する凸部を設けたことを特徴とする端子カバー。
【請求項２】
前記凸部は、蓋部の開動作中は本体外装部と当接しながら回動することを特徴とする請求項１に記載の端子カバー。
【請求項３】
前記接続部または凸部は弾性体であることを特徴とする請求項１、２に記載の端子カバー。
【請求項４】
前記凸部は接続部に隣接して形成されていることを特徴とする請求項１、２に記載の端子カバー。
【発明の詳細な説明】
【技術分野】
【０００１】
本発明は、ビデオカメラやデジタルスチルカメラなどの電子機器に設けられた端子を覆うためのカバー構造に関するものである。
【背景技術】
【０００２】
ビデオカメラやデジタルスチルカメラなどの電子機器は、さまざまな外部機器と接続し、電子機器の活用範囲を広げるため、多くのジャック類が装備されており、それらのジャック類をほこりや水分から保護する為、端子蓋（以下ジャックカバーとする）が取り付けられている。
【０００３】
従来のジャックカバーを備えた電子機器の一具体例として、ビデオカメラについて説明する。図５はジャックカバー５０１を備えたビデオカメラの斜視図であり、特に図５（ａ）はジャックカバーを閉めた状態、図５（ｂ）はジャックカバーを取り外した状態を示している。ジャックカバーで覆われる部分にはＵＣＢコネクターやＡＶジャックなどの各種端子５０２が設けられている。
【０００４】
図６は、ジャックカバー５０１の斜視図である。ジャックカバー５０１とビデオカメラ本体５０３を繋ぐ接続部５０１ａはエラストマー等の弾性部材で形成されており、ジャックカバー５０１はビデオカメラ本体５０３と、接続部５０１ａの軸中心に回動自在に結合されている。
【０００５】
また、ジャックカバー５０１には、ビデオカメラ本体５０３との圧入係止のための圧入ボス５０１ｂが設けられている。該圧入ボス５０１ｂを、ビデオカメラ本体５０３の、圧入係止ボスに対応する位置に設けられた圧入孔５０４に圧入することで、ジャックカバー５０１が閉状態に保持される。
【０００６】
以上のように構成されたビデオカメラについて、以下にジャックカバー５０１の開閉時の動作について説明する。
【０００７】
使用者が前述の端子に任意の電子機器から繋がるプラグ７０１を接続する時、ジャックカバーの指係り５０１ｃに指をかけ、圧入係止ボス５０１ｂを引き抜き、さらにジャックカバー５０１を図５に示す矢印Ｚの方向に回転させ、露出した端子５０２にプラグ７０１を挿入する。
【０００８】
しかし、図７に示すように、ジャックカバー５０１のＺ方向への回転が不十分な時、プラグ７０１挿入時に、ジャックカバー５０１をプラグ７０１と端子５０２の間に挟み込んでしまう問題がある。
【０００９】
そこでジャックカバー５０１の開位置を使用者に明確にするとともに、開位置を保持する為、開位置にクリック機構を設けた蓋機構が提案されている。例えば特開２００１−３３６５２２号公報に記載の蓋では、蓋を弾性部材に当接させることで、蓋の開き方向と閉じ方向で負荷が異なるクリック機構が開示されている。
【特許文献１】特開２００１−３３６５２２号公報
【発明の開示】
【発明が解決しようとする課題】
【００１０】
しかしながら従来の蓋構造では、クリック機構の追加のために部品点数が増加したり、多くのスペースが必要であるという問題があった。本考案はこのような問題点に鑑みて成されたものであり、部品点数を増やすことなく、小型、廉価で簡単な構成で、開位置を保持することの出来る端子カバーを提供することにある。
【課題を解決するための手段】
【００１１】
本発明の端子カバーは、電子機器本体の凹部を覆う蓋部と、該本体に対して略垂直に設けられ、前記蓋部を開閉動作可能な回転軸となる接続部を有し、前記蓋部の開時に本体の凹部の側面と当接する凸部を設けたことを特徴としている。
また、本発明の他の特徴とするところは、前記凸部は、蓋部の開動作中は本体外装部と当接しながら回動することを特徴としている。
また、本発明のその他の特徴とするところは、前記接続部または凸部は弾性体であることを特徴としている。
また、本発明のその他の特徴とするところは、前記凸部は接続部に隣接して形成されていることを特徴としている。
【発明の効果】
【００１２】
以上説明したように、本発明によれば、部品点数を増やすことなく、小型、廉価、簡単な構成で、開位置保持とクリック機構を持つ端子カバーの提供が可能となる。
【発明を実施するための最良の形態】
【００１３】
以下、本発明を実施するための形態に関して説明する。
【実施例１】
【００１４】
図１は、本発明の実施形態に関わるビデオカメラの斜視図である。該ビデオカメラは撮像光学系１０１による光学的な画像を、図示しないＣＣＤにより電気的な信号に変換して、図示しない情報記録メディアに記録するものである。
【００１５】
本件では、撮像光学系１０１の光軸と平行な方向（以下光軸方向とする）をビデオカメラの前後方向とし、さらに、撮像光学系の前玉側１０１ａを前方と定義する。また、光軸と平行な面をビデオカメラの側面側と定義する。該ビデオカメラでは、ビューファインダーとして筐体側面に３インチ程度の液晶表示器（ＬＣＤ）１０２を搭載した構成となっている。
【００１６】
ビデオカメラ側面のＬＣＤ１０２後方には、ＡＶジャック端子１０３が設けられ、該端子部を埃や水滴から保護するジャックカバー１０４が開閉蓋として、開閉自在に設けられている。図１（ａ）に示す該ジャックカバー１０４は閉状態で、ビデオカメラ本体の開口部１０５に収納され、外装の一部を形成している。また、図１（ｂ）は該ジャックカバー１０４の開状態を示している。
【００１７】
図２は本提案の実施形態に関わるジャックカバー１０４の斜視図である。本提案のジャックカバー１０４は外装部１０４ａがモールドで形成され、回転軸となる接続部１０４ｂと圧入係止ボス１０４ｃがエラストマー等の弾性部材で形成されている。該ジャックカバー１０４は接続部１０４ｂを介して、該接続部１０４ｂの軸を中心に回動自在に配置されている。また、該接続部１０４ｂ先端の出っ張り形状１０４ｆにより、ジャックカバー１０４がビデオカメラ本体に対して抜けないようにされている。
【００１８】
ジャックカバーの閉状態では、圧入係止ボス１０４ｃが、ビデオカメラ本体側の該圧入係止ボスに対応する位置に設けられた、圧入孔１０６に押し込まれる。また、該ジャックカバー１０４には、圧入係止ボス１０４ｃと同様の弾性部材で形成された第２の凸形状１０４ｅが設けられている。
【００１９】
以上のように構成されたビデオカメラについて、以下にジャックカバー１０４開閉からＡＶジャック端子１０３へのプラグ挿入までの動作を説明する。
【００２０】
使用者がＡＶジャック端子１０３に任意の機器から繋がるプラグを接続する場合、ジャックカバーの指係部１０４ｄに指をかけ、図１に示す矢印Ａの方向へ該ジャックカバー１０４を抜去し、さらに矢印Ｂの方向へ回転させる。図３はジャックカバー１０４開閉時における、回転軸となる接続部１０４ｂと第２の凸形状１０４ｅの軌跡を示した模式図である。図３に示すＣは、前記第２の凸形状１０４ｅの、ジャックカバー１０４閉時の位置で、図３に示すＤは、第２の凸形状１０４ｅの開動作中の位置を表している。
【００２１】
ここで、接続部１０４ｂの出っ張り形状１０４ｆまでの長さをＬ、図４に示すジャックカバー抜け止め部材４０１から、本体の外装輪郭までの距離をＭとする。
【００２２】
本実施形態のビデオカメラにおける、第２の凸形状１０４ｅの軌跡上にあたる外装輪郭は斜面であるため、ジャックカバー１０４のＢ方向の開動作により、前述のＬ−Ｍが減少しつつ該外装輪郭の斜面をＢ方向に移動する。
【００２３】
この時、使用者によりジャックカバーをＢと逆方向に押し込まれても、ジャックカバー１０４は、第２の凸形状１０４ｅが、外装に当接しつつ回動する。ここで第２の凸形状１０４ｅは、エラストマー等の弾性部材で形成されている為、開閉動作時に、外装と当接しつつ移動しても外装に傷を付けることが無い。
【００２４】
図３に示すＥは、前記第２の凸形状１０４ｅの、ジャックカバー１０４開時の位置を表している。ジャックカバーを図３に示すＤの位置から、さらに矢印Ｂ方向に回転させると、Ｌ−Ｍが減少する。
【００２５】
この位置からさらにＢ方向へ回転させると、第２の凸形状１０４ｅが、図３のＥ位置で、閉位置におけるジャックカバー１０４収納部であるビデオカメラ本体の開口部１０５に沈み込み、開状態となる。
【００２６】
また、ビデオカメラ本体の開口部１０５に沈み込む直前の位置でＬ＜Ｍとすることで、該ジャックカバー１０４の係合直前に、変異量Ｍ−Ｌの弾性変形の必要が生じる為、係合時に回転軸１０４ｂの弾性変形により発生するクリック感を得られる。
【００２７】
その後、露出したＡＶジャック端子１０３に、任意の機器から繋がるプラグを差し込む。
【００２８】
このように、閉状態でジャックカバー１０４の収まっていたビデオカメラ本体の開口部１０５に、前記第２の凸形状１０４ｅが沈み込むことで、廉価、小型、簡単な構成で、部品点数を増やすことなく、開位置の保持と、クリック機構を持つジャックカバーを提供することが出来る。
【００２９】
なお、本発明の機械的構成要素は前述の構成に限定されるものではない。
【図面の簡単な説明】
【００３０】
【図１】本発明の実施形態に関わるビデオカメラの斜視図
【図２】本発明の実施形態に関わるジャックカバーの斜視図
【図３】本発明の実施形態に関わるジャックカバー要部の、開閉時における軌跡を示した模式図
【図４】本発明の実施形態に関わるビデオカメラの断面図
【図５】従来のビデオカメラの斜視図
【図６】従来のビデオカメラのジャックカバーの斜視図
【図７】従来のビデオカメラのジャック挿抜時の斜視図
【符号の説明】
【００３１】
１０１  撮像光学系
１０２  ＬＣＤ
１０３  ＡＶジャック端子
１０４  ジャックカバー
１０４ａ  外装部
１０４ｂ  接続部
１０４ｃ  圧入係止ボス
１０４ｄ  指係部
１０４ｅ  第２の凸形状
１０４ｆ  出っ張り形状
１０５  開口部
１０６  圧入孔
【図１】
2007200604.tif 000003
【図２】
2007200604.tif 000004
【図３】
2007200604.tif 000005
【図４】
2007200604.tif 000006
【図５】
2007200604.tif 000007
【図６】
2007200604.tif 000008
【図７】
2007200604.tif 000009